(57)【要約】【課題】新たな構成により画像形成が行われたシートの当接による騒音を防止ないし緩和する、孔版印刷装置等の印刷装置、複写機、ファクシミリ、プリンタ等の画像形成装置に備えられ画像形成が行われた用紙等のシートを積載する排紙台及びこれを備えた係る画像形成装置及びこれらを用いたシート積載方法の提供。【解決手段】画像形成が行われたシートＰを積載する排紙台８５において、排紙台８５に向けて移動してきたシートＰの先端が当接するエアバッグ３８を用いる。【選択図】図１
2008297061.tif 000002
【特許請求の範囲】
【請求項１】
画像形成が行われたシートを積載する排紙台において、
排紙台に向けて移動してきた前記シートの先端が当接するエアバッグを有することを特徴とする排紙台。
【請求項２】
請求項１記載の排紙台において、
前記エアバッグの、シートの先端が当接する側の面は、非平面形状をなしていることを特徴とする排紙台。
【請求項３】
請求項２記載の排紙台において、
前記エアバッグの、シートの先端が当接する側の面は、シートの幅方向における中央部が凸の形状をなしていることを特徴とする排紙台。
【請求項４】
請求項２記載の排紙台において、
前記エアバッグの、シートの先端が当接する側の面は、シートの幅方向における両端部が凸の形状をなしていることを特徴とする排紙台。
【請求項５】
請求項１ないし４の何れか１つに記載の排紙台において、
前記エアバッグは、シートの幅方向において複数に分割されていることを特徴とする排紙台。
【請求項６】
請求項１ないし５の何れか１つに記載の排紙台において、
前記エアバッグの、シートの先端が当接する側の面は、オーバーハング状となっていることを特徴とする排紙台。
【請求項７】
請求項１ないし６の何れか１つに記載の排紙台において、
前記エアバッグの、シートの先端が当接する側の面は、平滑性を有する材料で構成されていることを特徴とする排紙台。
【請求項８】
請求項１ないし７の何れか１つに記載の排紙台において、
前記エアバッグの、シートの先端が当接する側の面は、通気性を有する材料で構成されていることを特徴とする排紙台。
【請求項９】
請求項８記載の排紙台において、
前記エアバッグの、シートの先端が当接する側の面の通気度が非均一であることを特徴とする排紙台。
【請求項１０】
請求項９記載の排紙台において、
前記エアバッグの、シートの先端が当接する側の面の、上下方向における、シートの先端が当接する部分の通気度が、他の部位の通気度より大きいことを特徴とする排紙台。
【請求項１１】
請求項９又は１０記載の排紙台において、
前記エアバッグの、シートの先端が当接する側の面の、シートの幅方向における中央部の通気度が、シートの幅方向における両端部の通気度より大きいことを特徴とする排紙台。
【請求項１２】
請求項９又は１０記載の排紙台において、
前記エアバッグの、シートの先端が当接する側の面の、シートの幅方向における両端部の通気度が、シートの幅方向における中央部の通気度より大きいことを特徴とする排紙台。
【請求項１３】
請求項１ないし１２の何れか１つに記載の排紙台において、
前記エアバッグの、シートの先端が当接する側の面に帯電防止加工がなされていることを特徴とする排紙台。
【請求項１４】
請求項１ないし１３の何れか１つに記載の排紙台において、
前記エアバッグの、シートの先端が当接する側の面は、導電性を有する材料で構成されていることを特徴とする排紙台。
【請求項１５】
請求項１ないし１４の何れか１つに記載の排紙台において、
前記エアバッグ内の気体を排出する気体排出手段を有することを特徴とする排紙台。
【請求項１６】
請求項１５記載の排紙台において、
前記気体排出手段による気体の排出量を画像形成の条件に応じて変化させる気体排出量条件制御手段を有することを特徴とする排紙台。
【請求項１７】
請求項１５又は１６記載の排紙台において、
前記気体排出手段による気体の排出量を、シートが前記エアバッグに当接して落下するときに変化させるための気体排出量変動制御手段を有することを特徴とする排紙台。
【請求項１８】
請求項１ないし１７の何れか１つに記載の排紙台において、
前記エアバッグを膨張させる気体を同エアバッグに供給する気体供給手段を有することを特徴とする排紙台。
【請求項１９】
請求項１ないし１７の何れか１つに記載の排紙台を有する画像形成装置。
【請求項２０】
請求項１８記載の排紙台を有する画像形成装置。
【請求項２１】
請求項１９記載の画像形成装置において、
前記エアバッグを膨張させる気体を同エアバッグに供給する気体供給手段を画像形成装置本体側に有し、前記気体供給手段は、同画像形成装置本体側の他の部位にも用いられることを特徴とする画像形成装置。
【請求項２２】
請求項２０又は２１記載の画像形成装置において、
前記気体供給手段を、画像形成動作時に作動させる気体供給手段駆動制御手段を有することを特徴とする画像形成装置。
【請求項２３】
請求項２０ないし２２の何れか１つに記載の画像形成装置において、
前記気体供給手段の、前記エアバッグに供給する気体の量を、画像形成の条件に応じて変化させる気体供給量条件制御手段を有することを特徴とする画像形成装置。
【請求項２４】
請求項２３記載の画像形成装置において、
前記気体供給手段が前記エアバッグに向けて供給した気体が同エアバッグに導入される量を調整する気体導入量調整手段を有し、
前記気体供給量制御手段によって、前記気体導入量調整手段による前記エアバッグに導入される気体の量の調整を制御することを特徴とする画像形成装置。
【請求項２５】
請求項２０ないし２４の何れか１つに記載の画像形成装置において、
前記気体供給手段の、前記エアバッグに供給する気体の量を、シートが前記エアバッグに当接して落下するときに変化させるための気体供給量変動制御手段を有することを特徴とする画像形成装置。
【請求項２６】
請求項２５記載の画像形成装置において、
前記気体供給手段が前記エアバッグに向けて供給した気体が同エアバッグに導入される量を調整する気体導入量調整手段を有し、
前記気体供給量変動制御手段によって、前記気体導入量調整手段による前記エアバッグに導入される気体の量の調整を制御することを特徴とする画像形成装置。
【請求項２７】
請求項２４又は２６記載の画像形成装置であって、
前記エアバッグがシートの幅方向において複数に分割されている画像形成装置において、
前記気体導入量調整手段を、分割されたエアバッグのそれぞれに対応して複数有し、それぞれの気体導入量調整手段による前記エアバッグに導入される気体の量が独立して調整されることを特徴とする画像形成装置。
【請求項２８】
請求項２０ないし２７の何れか１つに記載の画像形成装置であって、
前記エアバッグがシートの幅方向において複数に分割されている画像形成装置において、
前記気体供給手段を、分割されたエアバッグのそれぞれに対応して複数有し、それぞれの気体供給手段による気体の供給量が独立して調整されることを特徴とする画像形成装置。
【請求項２９】
請求項１９ないし２８の何れか１つに記載の画像形成装置であって、
前記エアバッグがシートの幅方向において複数に分割されているとともに、前記エアバッグ内の気体を排出する気体排出手段を有する画像形成装置において、
前記気体排出手段を、分割されたエアバッグのそれぞれに対応して複数有し、それぞれの気体排出手段による気体の排出量が独立して調整されることを特徴とする画像形成装置。
【請求項３０】
請求項２０ないし２９の何れか１つに記載の画像形成装置において、
前記気体供給手段は、駆動によって発生する音が、聴感度の低い低音域に主なスペクトルを有することを特徴とする画像形成装置。
【請求項３１】
請求項１ないし１８の何れか１つの記載の排紙台、又は、請求項１９ないし２９の何れか１つに記載の画像形成装置を用い、前記排紙台にシートを積載するシート積載方法。
【発明の詳細な説明】
【技術分野】
【０００１】
本発明は、孔版印刷装置等の印刷装置、複写機、ファクシミリ、プリンタ等の画像形成装置に備えられ画像形成が行われた用紙等のシートを積載する排紙台及びこれを備えた係る画像形成装置及びこれらを用いたシート積載方法に関する。
【背景技術】
【０００２】
従来より、〔特許文献１〕、〔特許文献２〕等に記載されているように、かかる排紙台において、画像形成が行われ排紙台に向けて移動してきたシートの先端が衝突するときに発する騒音を防止ないし緩和するための様々な技術が提案されている。
【０００３】
〔特許文献１〕には、シートの先端がスポンジに当接するように構成することで、かかる騒音の防止ないし緩和を図る技術が記載されている。
〔特許文献２〕には、シートの先端が弾性板に当接するように構成することで、かかる騒音の防止ないし緩和を図る技術が記載されている。
【０００４】
【特許文献１】特開平１１−２１７１５１号公報
【特許文献２】特開平８−２０４６８号公報
【発明の開示】
【発明が解決しようとする課題】
【０００５】
しかし、かかる騒音の防止ないし緩和を行うための新たな技術の開発が待たれているところである。
なお、〔特許文献１〕に記載のスポンジや〔特許文献２〕に記載の弾性板は、シートが当接したときにシートを跳ね返す作用が大きく、排紙台上におけるシートの揃えが悪くなる可能性がある。
また、〔特許文献１〕には、スポンジの表面の摩擦が大きいことに鑑み、スポンジの表面に薄いフィルムを貼って、シートが当接した後の落下を滑らかにする例も記載されているが、フィルムを貼ると、シートが当接したときの騒音が大きくなる可能性があり、騒音防止とシートの滑らかな落下の確保とがトレードオフの関係となっている。
【０００６】
本発明は、新たな構成により画像形成が行われたシートの当接による騒音を防止ないし緩和する、孔版印刷装置等の印刷装置、複写機、ファクシミリ、プリンタ等の画像形成装置に備えられ画像形成が行われた用紙等のシートを積載する排紙台及びこれを備えた係る画像形成装置及びこれらを用いたシート積載方法の提供を目的とする。
【課題を解決するための手段】
【０００７】
上記目的を達成するため、請求項１記載の発明は、画像形成が行われたシートを積載する排紙台において、排紙台に向けて移動してきた前記シートの先端が当接するエアバッグを有することを特徴とする。
【０００８】
請求項２記載の発明は、請求項１記載の排紙台において、前記エアバッグの、シートの先端が当接する側の面は、非平面形状をなしていることを特徴とする。
【０００９】
請求項３記載の発明は、請求項２記載の排紙台において、前記エアバッグの、シートの先端が当接する側の面は、シートの幅方向における中央部が凸の形状をなしていることを特徴とする。
【００１０】
請求項４記載の発明は、請求項２記載の排紙台において、前記エアバッグの、シートの先端が当接する側の面は、シートの幅方向における両端部が凸の形状をなしていることを特徴とする。
【００１１】
請求項５記載の発明は、請求項１ないし４の何れか１つに記載の排紙台において、前記エアバッグは、シートの幅方向において複数に分割されていることを特徴とする。
【００１２】
請求項６記載の発明は、請求項１ないし５の何れか１つに記載の排紙台において、前記エアバッグの、シートの先端が当接する側の面は、オーバーハング状となっていることを特徴とする。
【００１３】
請求項７記載の発明は、請求項１ないし６の何れか１つに記載の排紙台において、前記エアバッグの、シートの先端が当接する側の面は、平滑性を有する材料で構成されていることを特徴とする。
【００１４】
請求項８記載の発明は、請求項１ないし７の何れか１つに記載の排紙台において、前記エアバッグの、シートの先端が当接する側の面は、通気性を有する材料で構成されていることを特徴とする。
【００１５】
請求項９記載の発明は、請求項８記載の排紙台において、前記エアバッグの、シートの先端が当接する側の面の通気度が非均一であることを特徴とする。
【００１６】
請求項１０記載の発明は、請求項９記載の排紙台において、前記エアバッグの、シートの先端が当接する側の面の、上下方向における、シートの先端が当接する部分の通気度が、他の部位の通気度より大きいことを特徴とする。
【００１７】
請求項１１記載の発明は、請求項９又は１０記載の排紙台において、前記エアバッグの、シートの先端が当接する側の面の、シートの幅方向における中央部の通気度が、シートの幅方向における両端部の通気度より大きいことを特徴とする。
【００１８】
請求項１２記載の発明は、請求項９又は１０記載の排紙台において、前記エアバッグの、シートの先端が当接する側の面の、シートの幅方向における両端部の通気度が、シートの幅方向における中央部の通気度より大きいことを特徴とする。
【００１９】
請求項１３記載の発明は、請求項１ないし１２の何れか１つに記載の排紙台において、前記エアバッグの、シートの先端が当接する側の面に帯電防止加工がなされていることを特徴とする。
【００２０】
請求項１４記載の発明は、請求項１ないし１３の何れか１つに記載の排紙台において、前記エアバッグの、シートの先端が当接する側の面は、導電性を有する材料で構成されていることを特徴とする。
【００２１】
請求項１５記載の発明は、請求項１ないし１４の何れか１つに記載の排紙台において、前記エアバッグ内の気体を排出する気体排出手段を有することを特徴とする。
【００２２】
請求項１６記載の発明は、請求項１５記載の排紙台において、前記気体排出手段による気体の排出量を画像形成の条件に応じて変化させる気体排出量条件制御手段を有することを特徴とする。
【００２３】
請求項１７記載の発明は、請求項１５又は１６記載の排紙台において、前記気体排出手段による気体の排出量を、シートが前記エアバッグに当接して落下するときに変化させるための気体排出量変動制御手段を有することを特徴とする。
【００２４】
請求項１８記載の発明は、請求項１ないし１７の何れか１つに記載の排紙台において、前記エアバッグを膨張させる気体を同エアバッグに供給する気体供給手段を有することを特徴とする。
【００２５】
請求項１９記載の発明は、請求項１ないし１７の何れか１つに記載の排紙台を有する画像形成装置にある。
【００２６】
請求項２０記載の発明は、請求項１８記載の排紙台を有する画像形成装置にある。
【００２７】
請求項２１記載の発明は、請求項１９記載の画像形成装置において、前記エアバッグを膨張させる気体を同エアバッグに供給する気体供給手段を画像形成装置本体側に有し、前記気体供給手段は、同画像形成装置本体側の他の部位にも用いられることを特徴とする。
【００２８】
請求項２２記載の発明は、請求項２０又は２１記載の画像形成装置において、前記気体供給手段を、画像形成動作時に作動させる気体供給手段駆動制御手段を有することを特徴とする。
【００２９】
請求項２３記載の発明は、請求項２０ないし２２の何れか１つに記載の画像形成装置において、前記気体供給手段の、前記エアバッグに供給する気体の量を、画像形成の条件に応じて変化させる気体供給量条件制御手段を有することを特徴とする。
【００３０】
請求項２４記載の発明は、請求項２３記載の画像形成装置において、前記気体供給手段が前記エアバッグに向けて供給した気体が同エアバッグに導入される量を調整する気体導入量調整手段を有し、前記気体供給量制御手段によって、前記気体導入量調整手段による前記エアバッグに導入される気体の量の調整を制御することを特徴とする。
【００３１】
請求項２５記載の発明は、請求項２０ないし２４の何れか１つに記載の画像形成装置において、前記気体供給手段の、前記エアバッグに供給する気体の量を、シートが前記エアバッグに当接して落下するときに変化させるための気体供給量変動制御手段を有することを特徴とする。
【００３２】
請求項２６記載の発明は、請求項２５記載の画像形成装置において、前記気体供給手段が前記エアバッグに向けて供給した気体が同エアバッグに導入される量を調整する気体導入量調整手段を有し、前記気体供給量変動制御手段によって、前記気体導入量調整手段による前記エアバッグに導入される気体の量の調整を制御することを特徴とする。
【００３３】
請求項２７記載の発明は、請求項２４又は２６記載の画像形成装置であって、前記エアバッグがシートの幅方向において複数に分割されている画像形成装置において、前記気体導入量調整手段を、分割されたエアバッグのそれぞれに対応して複数有し、それぞれの気体導入量調整手段による前記エアバッグに導入される気体の量が独立して調整されることを特徴とする。
【００３４】
請求項２８記載の発明は、請求項２０ないし２７の何れか１つに記載の画像形成装置であって、前記エアバッグがシートの幅方向において複数に分割されている画像形成装置において、前記気体供給手段を、分割されたエアバッグのそれぞれに対応して複数有し、それぞれの気体供給手段による気体の供給量が独立して調整されることを特徴とする。
【００３５】
請求項２９記載の発明は、請求項１９ないし２８の何れか１つに記載の画像形成装置であって、前記エアバッグがシートの幅方向において複数に分割されているとともに、前記エアバッグ内の気体を排出する気体排出手段を有する画像形成装置において、前記気体排出手段を、分割されたエアバッグのそれぞれに対応して複数有し、それぞれの気体排出手段による気体の排出量が独立して調整されることを特徴とする。
【００３６】
請求項３０記載の発明は、請求項２０ないし２９の何れか１つに記載の画像形成装置において、前記気体供給手段は、駆動によって発生する音が、聴感度の低い低音域に主なスペクトルを有することを特徴とする。
【００３７】
請求項３１記載の発明は、請求項１ないし１８の何れか１つの記載の排紙台、又は、請求項１９ないし２９の何れか１つに記載の画像形成装置を用い、前記排紙台にシートを積載するシート積載方法にある。
【発明の効果】
【００３８】
本発明は、画像形成が行われたシートを積載する排紙台において、排紙台に向けて移動してきた前記シートの先端が当接するエアバッグを有するので、画像形成が行われたシートの当接による音を防止ないし緩和することによって静音化でき、またエアバッグに当接したシートの跳ね返りを防止ないし緩和することによってシートの揃えを向上することができ、使用感が高い排紙台を提供することができる。
【００３９】
前記エアバッグの、シートの先端が当接する側の面は、非平面形状をなしていることとすれば、画像形成が行われたシートの当接がエアバッグの一部から開始し次第に当接領域が拡大することで当接を徐々に行うことができ、よってかかる当接による音を防止ないし緩和することによって静音化でき、またエアバッグに当接したシートの跳ね返りを防止ないし緩和することによりシートの揃えを向上することができ、使用感が高い排紙台を提供することができる。
【００４０】
前記エアバッグの、シートの先端が当接する側の面は、シートの幅方向における中央部が凸の形状をなしていることとすれば、画像形成が行われたシートの当接がエアバッグのかかる幅方向における中央部から開始し次第に当接領域が拡大することで当接を徐々に行うことができ、よってかかる当接による音を防止ないし緩和することによって静音化でき、またエアバッグに当接したシートの跳ね返りを防止ないし緩和することによりシートの揃えを向上することができ、使用感が高く、特にシートが中央揃えであれば種々のサイズのシートに対応してこれらの効果が良好に発揮される排紙台を提供することができる。
【００４１】
前記エアバッグの、シートの先端が当接する側の面は、シートの幅方向における両端部が凸の形状をなしていることとすれば、画像形成が行われたシートの当接がエアバッグのかかる幅方向における両端部から開始し次第に当接領域が拡大することで当接を徐々に行うことができ、よってかかる当接による音を防止ないし緩和することによって静音化でき、またエアバッグに当接したシートの跳ね返りを防止ないし緩和すること及び当接によるシートの傾きが防止ないし抑制されることによりシートの揃えを向上することができ、使用感が高い排紙台を提供することができる。
【００４２】
前記エアバッグは、シートの幅方向において複数に分割されていることとすれば、画像形成が行われたシートの当接による音を防止ないし緩和することによって静音化でき、またエアバッグに当接したシートの跳ね返りを防止ないし緩和することによってシートの揃えを向上することができ、使用感が高いとともに、エアバッグを分割することで強度、安定度が向上し、またエアバッグの内容積を減じてエアバッグを膨張させるためのエネルギーを節減することが可能な排紙台を提供することができる。
【００４３】
前記エアバッグの、シートの先端が当接する側の面は、オーバーハング状となっていることとすれば、画像形成が行われたシートの当接による音を防止ないし緩和することによって静音化でき、またエアバッグに当接したシートの跳ね返り及び当接した後のシートがエアバッグに引っ掛かることを防止ないし緩和することによってシートの落下及び揃えを向上することができ、使用感が高い排紙台を提供することができる。
【００４４】
前記エアバッグの、シートの先端が当接する側の面は、平滑性を有する材料で構成されていることとすれば、画像形成が行われたシートの当接による音を防止ないし緩和することによって静音化でき、またエアバッグに当接したシートの跳ね返り及び当接した後のシートがエアバッグに引っ掛かることを防止ないし緩和することによってシートの落下及び揃えを向上することができ、使用感が高い排紙台を提供することができる。
【００４５】
前記エアバッグの、シートの先端が当接する側の面は、通気性を有する材料で構成されていることとすれば、画像形成が行われたシートの当接による音を防止ないし緩和することによって静音化でき、またエアバッグに当接したシートの跳ね返りを防止ないし緩和することや、シートがエアバッグに当接したときやその後の落下時にエアバッグ内の空気が抜けることでシートがエアバッグに引っ掛かることを防止ないし緩和することによってシートの落下及び揃えを向上することができ、使用感が高い排紙台を提供することができる。
【００４６】
前記エアバッグの、シートの先端が当接する側の面の通気度が非均一であることとすれば、画像形成が行われたシートの当接による音を防止ないし緩和することによって静音化でき、またエアバッグに当接したシートの跳ね返りを防止ないし緩和することや、通気度を部分的に調整されたエアバッグによってシートがエアバッグに当接したときやその後の落下時にエアバッグ内の空気が抜けることでシートがエアバッグに引っ掛かることを防止ないし緩和することによってシートの落下及び揃えを向上することができ、使用感が高い排紙台を提供することができる。
【００４７】
前記エアバッグの、シートの先端が当接する側の面の、上下方向における、シートの先端が当接する部分の通気度が、他の部位の通気度より大きいこととすれば、画像形成が行われたシートの当接による音を防止ないし緩和することによって静音化でき、またエアバッグに当接したシートの跳ね返りを防止ないし緩和することや、通気度をシートが当接する部分において高めたエアバッグによってシートがエアバッグに当接したときにエアバッグ内の空気が抜けやすく、またその後の落下時にエアバッグ内の空気が抜けることでシートがエアバッグに引っ掛かることを防止ないし緩和することによってシートの落下及び揃えを向上することができ、使用感が高い排紙台を提供することができる。
【００４８】
前記エアバッグの、シートの先端が当接する側の面の、シートの幅方向における中央部の通気度が、シートの幅方向における両端部の通気度より大きいこととすれば、画像形成が行われたシートの当接による音を防止ないし緩和することによって静音化でき、またエアバッグに当接したシートの跳ね返りを防止ないし緩和することや、通気度をかかる中央部において高めたエアバッグによってシートがエアバッグに当接したときにエアバッグ内の空気が抜けやすく、またその後の落下時にエアバッグ内の空気が抜けることでシートがエアバッグに引っ掛かることを防止ないし緩和することによってシートの落下及び揃えを向上することができ、使用感が高く、特にシートが中央揃えであれば種々のサイズのシートに対応してこれらの効果が良好に発揮される排紙台を提供することができる。
【００４９】
前記エアバッグの、シートの先端が当接する側の面の、シートの幅方向における両端部の通気度が、シートの幅方向における中央部の通気度より大きいこととすれば、画像形成が行われたシートの当接による音を防止ないし緩和することによって静音化でき、またエアバッグに当接したシートの跳ね返りを防止ないし緩和することや、通気度をかかる両端部において高めたエアバッグによってシートがエアバッグに当接したときにエアバッグ内の空気が抜けやすく、またその後の落下時にエアバッグ内の空気が抜けることでシートがエアバッグに引っ掛かることを防止ないし緩和すること及び当接によるシートの傾きが防止ないし抑制されることによりシートの落下及び揃えを向上することができ、使用感が高い排紙台を提供することができる。
【００５０】
前記エアバッグの、シートの先端が当接する側の面に帯電防止加工がなされていることとすれば、画像形成が行われたシートの当接による音を防止ないし緩和することによって静音化でき、またエアバッグに当接したシートの跳ね返りを防止ないし緩和すること及びシートの帯電の防止ないし緩和によってシートの揃えを向上することができ、使用感が高い排紙台を提供することができる。
【００５１】
前記エアバッグの、シートの先端が当接する側の面は、導電性を有する材料で構成されていることとすれば、画像形成が行われたシートの当接による音を防止ないし緩和することによって静音化でき、またエアバッグに当接したシートの跳ね返りを防止ないし緩和すること及びシートの帯電の防止ないし緩和を経時的にも行うことによってシートの揃えを経時的にも向上することができ、使用感が高い排紙台を提供することができる。
【００５２】
前記エアバッグ内の気体を排出する気体排出手段を有することとすれば、エアバッグ内の気体を排出することによってエアバッグの膨張状態を調整し、画像形成が行われたシートの当接による音を防止ないし緩和することによって静音化でき、またエアバッグに当接したシートの跳ね返りを防止ないし緩和することによってシートの揃えを向上することができ、使用感が高い排紙台を提供することができる。
【００５３】
前記気体排出手段による気体の排出量を画像形成の条件に応じて変化させる気体排出量条件制御手段を有することとすれば、エアバッグ内の気体をシートの厚さ、大きさ等の画像形成の条件に応じて排出することによってエアバッグの膨張状態を画像形成の条件に適した状態に調整し、画像形成が行われたシートの当接による音を防止ないし緩和することによって静音化でき、またエアバッグに当接したシートの跳ね返りを防止ないし緩和することによってシートの揃えを向上することができ、使用感が高い排紙台を提供することができる。
【００５４】
前記気体排出手段による気体の排出量を、シートが前記エアバッグに当接して落下するときに変化させるための気体排出量変動制御手段を有することとすれば、エアバッグ内の気体の排出量を変化させることによってエアバッグの膨張状態を調整し、画像形成が行われたシートの当接による音を防止ないし緩和することによって静音化でき、またエアバッグに当接したシートの跳ね返りを防止ないし緩和すること及びエアバッグ内の気体の圧力を変動させエアバッグの表面位置を変位させてシートがエアバッグに引っ掛かることを防止ないし抑制することによってシートの揃えを向上することができ、使用感が高い排紙台を提供することができる。
【００５５】
前記エアバッグを膨張させる気体を同エアバッグに供給する気体供給手段を有することとすれば、画像形成が行われたシートの当接による音を防止ないし緩和することによって静音化でき、またエアバッグに当接したシートの跳ね返りを防止ないし緩和することによってシートの揃えを向上することができ、使用感が高く、また、気体供給手段にエアバッグに気体を導く構成が不要又は小さくて済み、小型で軽量の排紙台を提供することができる。
【００５６】
本発明は、請求項１ないし１７の何れか１つに記載の排紙台を有する画像形成装置にあるので、上述の各効果を奏する排紙台を有し、画像形成が行われたシートの当接による音を防止ないし緩和することによって静音化でき、またエアバッグに当接したシートの跳ね返りを防止ないし緩和することによってシートの揃えを向上することができ、使用感が高い画像形成装置を提供することができる。
【００５７】
本発明は、請求項１８記載の排紙台を有する画像形成装置にあるので、上述の効果を奏する排紙台を有し、画像形成が行われたシートの当接による音を防止ないし緩和することによって静音化でき、またエアバッグに当接したシートの跳ね返りを防止ないし緩和することによってシートの揃えを向上することができ、使用感が高く、また、気体供給手段にエアバッグに気体を導く構成が不要又は小さくて済み、小型で軽量の画像形成装置を提供することができる。
【００５８】
前記エアバッグを膨張させる気体を同エアバッグに供給する気体供給手段を画像形成装置本体側に有し、前記気体供給手段は、同画像形成装置本体側の他の部位にも用いられることとすれば、画像形成が行われたシートの当接による音を防止ないし緩和することによって静音化でき、またエアバッグに当接したシートの跳ね返りを防止ないし緩和することによってシートの揃えを向上することができ、使用感が高く、また、エアバッグを膨張させる気体供給手段を新に配設することが不要となりコストを抑制することが可能な画像形成装置を提供することができる。
【００５９】
前記気体供給手段を、画像形成動作時に作動させる気体供給手段駆動制御手段を有することとすれば、画像形成が行われたシートの当接による音を防止ないし緩和することによって静音化でき、またエアバッグに当接したシートの跳ね返りを防止ないし緩和することによってシートの揃えを向上することができ、使用感が高く、また、気体供給手段を必要なときのみ駆動してエアバッグを膨張させるのに必要なエネルギーを節減することができる画像形成装置を提供することができる。
【００６０】
前記気体供給手段の、前記エアバッグに供給する気体の量を、画像形成の条件に応じて変化させる気体供給量条件制御手段を有することとすれば、エアバッグ内の気体の圧力をシートの厚さ、大きさ等の画像形成の条件に応じて変化させることによってエアバッグの膨張状態を画像形成の条件に適した状態に調整し、画像形成が行われたシートの当接による音を防止ないし緩和することによって静音化でき、またエアバッグに当接したシートの跳ね返りを防止ないし緩和することによってシートの揃えを向上することができ、使用感が高い画像形成装置を提供することができる。
【００６１】
前記気体供給手段が前記エアバッグに向けて供給した気体が同エアバッグに導入される量を調整する気体導入量調整手段を有し、前記気体供給量制御手段によって、前記気体導入量調整手段による前記エアバッグに導入される気体の量の調整を制御することとすれば、エアバッグ内の気体の圧力を、気体導入量調整手段により、シートの厚さ、大きさ等の画像形成の条件に応じて変化させることによってエアバッグの膨張状態を画像形成の条件に適した状態に調整し、画像形成が行われたシートの当接による音を防止ないし緩和することによって静音化でき、またエアバッグに当接したシートの跳ね返りを防止ないし緩和することによってシートの揃えを向上することができ、使用感が高い画像形成装置を提供することができる。
【００６２】
前記気体供給手段の、前記エアバッグに供給する気体の量を、シートが前記エアバッグに当接して落下するときに変化させるための気体供給量変動制御手段を有することとすれば、エアバッグに供給する気体の量を変化させることによってエアバッグの膨張状態を調整し、画像形成が行われたシートの当接による音を防止ないし緩和することによって静音化でき、またエアバッグに当接したシートの跳ね返りを防止ないし緩和すること及びエアバッグ内の気体の圧力を変動させエアバッグの表面位置を変位させてシートがエアバッグに引っ掛かることを防止ないし抑制することによってシートの揃えを向上することができ、使用感が高い画像形成装置を提供することができる。
【００６３】
前記気体供給手段が前記エアバッグに向けて供給した気体が同エアバッグに導入される量を調整する気体導入量調整手段を有し、前記気体供給量変動制御手段によって、前記気体導入量調整手段による前記エアバッグに導入される気体の量の調整を制御することとすれば、エアバッグに供給する気体の量を、気体導入量調整手段により変化させることによってエアバッグの膨張状態を調整し、画像形成が行われたシートの当接による音を防止ないし緩和することによって静音化でき、またエアバッグに当接したシートの跳ね返りを防止ないし緩和すること及びエアバッグ内の気体の圧力を変動させエアバッグの表面位置を変位させてシートがエアバッグに引っ掛かることを防止ないし抑制することによってシートの揃えを向上することができ、使用感が高い画像形成装置を提供することができる。
【００６４】
前記エアバッグがシートの幅方向において複数に分割されている画像形成装置において、前記気体導入量調整手段を、分割されたエアバッグのそれぞれに対応して複数有し、それぞれの気体導入量調整手段による前記エアバッグに導入される気体の量が独立して調整されることとすれば、分割されたエアバッグの各部分に供給する気体の量を、気体導入量調整手段により、シートの厚さ、大きさ等に応じて調整することによってエアバッグの各部分の膨張状態を調整し、画像形成が行われたシートの当接による音を防止ないし緩和することによって静音化でき、またエアバッグに当接したシートの跳ね返りを防止ないし緩和することよってシートの揃えを向上することができ、使用感が高い画像形成装置を提供することができる。
【００６５】
前記エアバッグがシートの幅方向において複数に分割されている画像形成装置において、前記気体供給手段を、分割されたエアバッグのそれぞれに対応して複数有し、それぞれの気体供給手段による気体の供給量が独立して調整されることとすれば、分割されたエアバッグの各部分に供給する気体の量を、気体供給手段により、シートの厚さ、大きさ等に応じて調整することによってエアバッグの各部分の膨張状態を調整し、画像形成が行われたシートの当接による音を防止ないし緩和することによって静音化でき、またエアバッグに当接したシートの跳ね返りを防止ないし緩和することよってシートの揃えを向上することができ、使用感が高い画像形成装置を提供することができる。
【００６６】
前記エアバッグがシートの幅方向において複数に分割されているとともに、前記エアバッグ内の気体を排出する気体排出手段を有する画像形成装置において、前記気体排出手段を、分割されたエアバッグのそれぞれに対応して複数有し、それぞれの気体排出手段による気体の排出量が独立して調整されることとすれば、分割されたエアバッグの各部分に供給する気体の量を、気体排出手段により、シートの厚さ、大きさ等に応じて調整することによってエアバッグの各部分の膨張状態を調整し、画像形成が行われたシートの当接による音を防止ないし緩和することによって静音化でき、またエアバッグに当接したシートの跳ね返りを防止ないし緩和することよってシートの揃えを向上することができ、使用感が高い画像形成装置を提供することができる。
【００６７】
前記気体供給手段は、駆動によって発生する音が、聴感度の低い低音域に主なスペクトルを有することとすれば、画像形成が行われたシートの当接による音及び気体供給手段の駆動によって生ずる音を防止ないし緩和することによって静音化でき、またエアバッグに当接したシートの跳ね返りを防止ないし緩和することによってシートの揃えを向上することができ、使用感が高い画像形成装置を提供することができる。
【００６８】
本発明は、請求項１ないし１８の何れか１つの記載の排紙台、又は、請求項１９ないし２９の何れか１つに記載の画像形成装置を用い、前記排紙台にシートを積載するシート積載方法にあるので、上述の各効果を奏する排紙台又は画像形成装置により、画像形成が行われたシートの当接による音を防止ないし緩和することによって静音化でき、またエアバッグに当接したシートの跳ね返りを防止ないし緩和することによってシートの揃えを向上することができるシート積載方法を提供することができる。
【発明を実施するための最良の形態】
【００６９】
図１に、本発明を適用した画像形成装置としての印刷装置である感熱デジタル製版一体型の孔版印刷装置の概略を示す。この孔版印刷装置１００は、画像形成装置本体としての装置本体６７の上部に、原稿画像を読取るための原稿読み取り部としての原稿読み取り手段であるイメージスキャナ６１を備えている。このイメージスキャナ６１は、コンタクトガラス６２上にセットされた原稿を照明するためのランプ６３を備えたキャリッジ６０、その他、複数のミラー６４、結像レンズ６５及び１次元アレイ状のＣＣＤ６６等により構成されている。
【００７０】
孔版印刷装置１００は、イメージスキャナ６１の下部に、回転自在に支持された版胴６８を中心とする印刷部６９と、感熱孔版原紙からなる未使用のマスタ７０をロール状としたマスタロール７０ａを交換可能に内蔵し、マスタロール７０ａから引き出されたマスタ７０を穿孔し製版済みのマスタ７０を版胴６８に供給する製版部としての製版手段である製版装置７１とを備えている。
【００７１】
孔版印刷装置１００はまた、版胴６８の外周に、給紙されるシートとしての印刷用紙Ｐを版胴６８に向けて押圧するための押圧体としてのプレスローラ２０と、版胴６８から印刷用紙Ｐを剥離する進退自在な剥離爪７５と、印刷工程の前に版胴６８に巻き付けられた使用済みのマスタ７０を剥離する排版手段である排版装置７６とを備えている。
【００７２】
孔版印刷装置１００はまた、印刷部６９に向けて印刷用紙Ｐを供給する給紙手段である給紙装置５２と、剥離爪７５によって版胴６８から剥離された印刷用紙Ｐを搬送して排紙し積載する排紙装置２３と、主に版胴６８の内部に位置するインキ供給装置１０と、版胴駆動手段である駆動モータとしてのメインモータ１１とを備えている。
【００７３】
孔版印刷装置１００はまた、プレスローラ２０を版胴６８に向けて変位させたり版胴６８から離間した位置に位置保持したりする押圧体変位手段２２と、ユーザ等のオペレータすなわち操作者が孔版印刷装置１００の操作を行うための図２に示す操作パネル９１と、孔版印刷装置１００の動作等の全般を制御する図２に示す制御手段としての制御部９０とを備えている。
【００７４】
版胴６８は、その外周の一部に配設された、製版済みのマスタ７０の端部を把持するクランプ装置７３と、図示しない開口部と非開口部とを備えた図示しない多孔性支持円筒体と、この多孔性支持円筒体の外周を覆う樹脂あるいは金属網体である図示しない複数層のメッシュスクリーンと、多孔性支持円筒体の両端に固定された図示しないドラムフランジとを有し、図示しないギヤ列を介してメインモータ１１に連結されている。
【００７５】
多孔性支持円筒体の開口部は、インキ供給装置１０によって供給されるインキを透過させるための小さな孔が多数形成された部分であり、透過したインキが、メッシュスクリーンから滲み出るように構成されている。
【００７６】
各ドラムフランジは、インキ供給軸であるインキ供給パイプとしての図１に示すドラム軸２５に回転自在に支持されている。ドラム軸２５は、装置本体６７の図示しない本体側板に支持されている。よって、版胴６８は、ドラムフランジにてドラム軸２５により回転自在に支持されている。
【００７７】
図１に示すように、版胴６８は、ドラム軸２５を回転中心とするギヤ１２と一体化されている。メインモータ１１は、ステッピングモータであって、本体側板に固定されており、ギヤ１２と噛み合うギヤ１３を有している。よって版胴６８はメインモータ１１により回転駆動されるようになっている。版胴６８は図１において時計回り方向に回転駆動される。
【００７８】
クランプ装置７３は、版胴６８の母線の１つに沿って多孔性支持円筒体のメッシュスクリーン以外の非開口部に配設された、磁性体で構成されたステージ１４と、ステージ１４に対して開閉する、マグネット等が貼着された、ステージ１４との間でマスタ７０の先端を挟持するクランパ４２とを有している。
【００７９】
クランプ装置７３はまた、ステージ１４と平行に、図１における紙面垂直方向に配設され、クランパ４２の回転中心をなす、本体側板に回転自在に支持されたクランパ軸４３と、クランパ４２を、所定位置において、ステージ１４に対して開閉させる、図示しない開閉装置とを有している。
【００８０】
インキ供給装置１０は、版胴６８の内周面に対向して配設され版胴６８にインキ１５を供給するインキローラ１６と、インキローラ１６に対向しインキローラ１６に僅かに隙間を設けて配設されインキローラ１６との間で楔状空間を形成しこの楔状空間にインキ溜り１７を形成するドクタローラ１８と、インキ溜り１７にインキ１５を滴下して供給するドラム軸２５と、版胴６８内部に対向配設されインキローラ１６及びドクタローラ１８をその間に回転自在に支持した一対の図示しないインキローラ側板とを有している。
【００８１】
インキ供給装置１０はまた、図示を省略するが、ドラム軸２５の一端に接続された、版胴６８の外部に位置するインキパックと、インキパック内のインキをドラム軸２５に向けて供給する、版胴６８の外部に位置するインキポンプと、インキ溜り１７のインキ量を検知するインキセンサと、メインモータ１１の駆動力をインキローラ１６及びドクタローラ１８に伝達し、インキローラ１６及びドクタローラ１８を版胴６８と同期して版胴６８と同じ方向に回転駆動する、ギヤ、ベルト等によって構成された駆動力伝達機構とを有している。
【００８２】
ドラム軸２５は、その軸方向にインキ滴下孔である供給穴としての複数の孔２５ａが形成されており、インキ供給パイプの機能を有している。ドラム軸２５は、インキローラ側板を、その両端部に固設されている。
【００８３】
インキローラ１６は、その回転中心をなすインキローラ軸２１を有しており、インキローラ軸２１はその両端部をインキローラ側板に回転自在に支持されている。ドクタローラ１８もインキローラ１６と同様にしてインキローラ側板に回転自在に支持されている。
【００８４】
よって、インキローラ１６とドクタローラ１８とが回転することでインキ溜り１７のインキ１５を混練して伸ばし、インキ溜り１７のインキ１５が、インキローラ１６とドクタローラ１８との間からインキローラ１６の外表面を経て、版胴６８の内周面に供給されるようになっている。
【００８５】
版胴６８の内周面に供給されたインキ１５は、多孔性支持円筒体、複数層のメッシュスクリーンを介して版胴６８の外周面に滲み出る。
インキ１５が消費されインキ溜り１７のインキ量がインキセンサによって低減したことが検知されると、インキパック内のインキがインキポンプにより吸引され、ドラム軸２５に形成された複数の孔から、インキ溜り１７に供給される。
【００８６】
プレスローラ２０は、版胴６８の下方に位置している。プレスローラ２０は、芯金と、円筒形状に成形され芯金の周囲に装着された弾性体としてのニトリルゴムまたはクロロプレンゴムとを有している。
【００８７】
プレスローラ２０は、押圧体変位手段２２により所定のタイミングで版胴６８に向けて変位し、版胴６８との対向部であるニップ部Ｎにおいて、印刷用紙Ｐを版胴６８に向けて押圧することで版胴６８に巻装されたマスタ７０に押し付け、マスタ７０から滲み出てくるインキを印刷用紙Ｐに付着させて印刷を行うものである。
【００８８】
製版装置７１に装着されているマスタ７０は、厚みがおよそ１〜３μｍの熱可塑性樹脂フィルムに、多孔質支持体の支持シートである和紙繊維、合成繊維又は和紙繊維と合成繊維を混抄したものを張り合わせたラミネート構造をなしている。
【００８９】
製版装置７１は、マスタロール７０ａを回転自在に保持するとともにマスタロール７０ａから繰り出されるマスタ７０の搬送をガイドするホルダ手段としてのマスタフランジ８８と、マスタロール７０ａからマスタ７０を引き出すローラ対８９と、ローラ対８９によって引き出されたマスタ７０をさらに搬送するプラテンローラ７７と、プラテンローラ７７に対向配置された製版ヘッドとしての穿孔部材であるサーマルヘッド７８とを有している。
【００９０】
製版装置７１はまた、製版済みのマスタ７０を所定長さに切断するカッタ８０と、サーマルヘッド７８によって穿孔され作成された製版済みのマスタ７０を版胴６８に向けて搬送するローラ対７９と、製版済みのマスタ７０を版胴６８に向けて案内するガイド板７４とを有している。
【００９１】
製版装置７１はまた、図示しないが、ローラ対８９、７９を回転駆動するステッピングモータであるマスタ搬送駆動モータと、プラテンローラ７７をその間に回転自在に支持した一対の製版部側板とを有している。
【００９２】
マスタロール７０ａは、巻き付け部材としての巻き芯であるロール芯３７に、マスタ７０を巻き付けてロール状としたものであって、マスタフランジ８８は、ロール芯３７を着脱自在且つ回転自在に保持することで、マスタロール７０ａを、着脱自在且つ、ロール芯３７を中心に回転自在に保持している。
【００９３】
サーマルヘッド７８は、マスタ７０の幅方向である図１の紙面に垂直な方向に沿って、無数の発熱素子によって構成された発熱部を有している。マスタ７０の熱可塑性樹脂フィルムがサーマルヘッド７８側に位置しており、サーマルヘッド７８は、発熱部により、ローラ対８９、７９、プラテンローラ７７によって搬送されるマスタ７０の熱可塑性樹脂フィルム部分を溶融穿孔するようになっている。発熱部を構成する各発熱素子は、通電により発熱するようになっており、各発熱素子への通電制御は、制御部９０によって行われるようになっている。
【００９４】
ローラ対８９、７９は製版部側板間に、互いに圧接した状態で回転自在に支持されている。マスタ搬送駆動モータは、通電によりローラ対８９、７９を回転駆動するようになっており、マスタ搬送駆動モータへの通電制御は、制御部９０によって行われる。
【００９５】
ローラ対７９によるマスタ７０の搬送速度は、プラテンローラ７７によるマスタ７０の搬送速度より速く設定されており、マスタ７０との間で滑りを生じながら、マスタ７０に所定の張力を付与するようになっている。カッタ８０は、本形態においてはギロチンタイプの上下刃を備えたものであるが、その他回転刃移動タイプのロータリータイプ等であっても良い。ガイド板７４は、製版部側板間に固設されている。
【００９６】
サーマルヘッド７８は、イメージスキャナ６１にて読み取った原稿に基づく画像データその他パーソナルコンピュータ等の外部装置から入力された画像データに基づいて発熱素子が発熱しマスタ７０の穿孔を行う。
【００９７】
排版装置７６は、版胴６８からマスタ７０を剥ぎ取って搬送するマスタ剥離装置５３と、マスタ剥離装置５３によって版胴６８から剥ぎ取られ搬送されてきた使用済みのマスタ７０を収納する排版ボックス５４とを有している。
【００９８】
給紙装置５２は、昇降自在に設けられた印刷用紙Ｐを積載する給紙台８１と、給紙台８１の上方に配設された給紙ローラ８２と、版胴６８の回転運動に同期して駆動され、給紙ローラ８２により繰り出された印刷用紙Ｐを印刷部６９に給送するレジストローラ対８３と、給紙ローラ８２により繰り出された印刷用紙Ｐをレジストローラ対８３に案内するとともに、レジストローラ対８３から印刷部６９に向けて給送された印刷用紙Ｐをニップ部Ｎに案内するガイド板４０、４１と、図示しない用紙検出装置とを有している。
【００９９】
給紙ローラ８２は、給紙台８１上に積載された印刷用紙Ｐのうち最上位の印刷用紙Ｐを繰り出すものであって、定位置において回転されるようになっている。給紙台８１は、最上位の印刷用紙Ｐが給紙ローラ８２に当接するよう、印刷用紙Ｐの枚数、厚さに応じて上昇、下降が制御される。レジストローラ対８３は、マスタ７０の画像領域がニップ部Ｎに進入する所定のタイミングで印刷用紙Ｐをニップ部Ｎに給送する。
【０１００】
排紙装置２３は、剥離爪７５によって版胴６８から剥離された印刷用紙Ｐを搬送する用紙搬送装置８４と、用紙搬送装置８４によって搬送されてきた印刷済みの印刷用紙Ｐすなわち画像形成が行われた印刷用紙Ｐを積載する排紙トレイとしての排紙台８５とを有している。
【０１０１】
用紙搬送装置８４は、駆動ローラ５５及び従動ローラ５６と、駆動ローラ５５及び従動ローラ５６に巻き掛けられた排紙ベルトとしての搬送ベルト５８と、搬送ベルト５８に印刷用紙Ｐを吸着させるための吸着ファン５７とを有している。
【０１０２】
用紙搬送装置８４はまた、駆動ローラ５５を回転駆動して搬送ベルト５８を駆動する用紙搬送駆動手段としての図２に示す用紙搬送駆動モータ２４と、搬送ベルト５８から離れ排紙台８５に向けて飛翔する印刷用紙Ｐを、図１に示すその飛翔方向である排紙方向Ａに垂直な平面による断面においてＵ字状とする（図４参照）ことで腰付けする図示しない腰付部材とを有している。
【０１０３】
図１又は図３に示すように、排紙台８５は、印刷部６９において印刷された後の、用紙搬送装置８４によって排紙台８５に向けてＡ方向に移動してきた印刷用紙Ｐが排出され、この印刷用紙Ｐを積層保持するものである。
【０１０４】
排紙台８５は、印刷用紙Ｐを積載する上面が略水平面をなす排紙トレイ３１と、Ａ方向において排紙トレイ３１の下流側端部に垂設されたエンドフェンス３２と、印刷用紙Ｐの幅方向である図１の紙面に垂直な方向、図３では矢印Ｂで示す方向において、排紙トレイ３１の各側縁部に配設されその相互間の距離が調整され印刷用紙Ｐの両側縁を規制する一対のサイドフェンス３３とを有している。
【０１０５】
排紙台８５はまた、Ａ方向においてエンドフェンス３２の上流側の面に配設されＡ方向に飛翔してきた印刷用紙Ｐの先端が当接するエアバッグ３４と、排紙トレイ３１上の、Ａ方向においてエンドフェンス３２の下流側の位置に配設され、エアバッグ３４を膨張させる気体である空気をエアバッグ３４内部に供給する気体供給手段としての給気ファン３５と、エアバッグ３４内の空気をエアバッグ３４外部に排出する気体排出手段としての電磁弁である排気弁３６とを有している。
【０１０６】
エンドフェンス３２には図示しない孔が形成されており、給気ファン３５は、通電によりかかる孔を通じてエアバッグ３４内に給気を行うようになっている。排紙トレイ３１には図示しない孔が形成されており、排気弁３６は、通電によりかかる孔を通じてエアバッグ３４外に排気を行うようになっている。給気ファン３５への通電、排気弁３６への通電は、それぞれ制御部９０によって独立して行われる。
【０１０７】
給気ファン３５は、少なくとも、印刷用紙Ｐが用紙搬送装置８４によって搬送され排紙台８５に搬送されてその先端がエアバッグ３４に当接し衝突するときにはエアバッグ３４を膨張させた状態とするように駆動される。
【０１０８】
エアバッグ３４は、Ａ方向におけるその上流側の面すなわち印刷用紙Ｐが当接する側の面を緩衝面３８として有しており、膨張した状態において、印刷用紙Ｐが衝突するときに発生し得る騒音を防止ないし緩和、抑制するようになっている。ここに、エアバッグ３４は、かかる騒音を防止ないし緩和、抑制する緩衝部材として機能する。
排紙台８５のその他の詳細な構成、動作、作用等については後述する。
【０１０９】
操作パネル９１は、孔版印刷装置１００による印刷に際して必要な操作を行うための操作キー８７と、孔版印刷装置１００の状態などを操作者に報知するための表示を行う表示部９６とを備えている。
【０１１０】
表示部９６は、タッチパネル式の液晶表示パネルであって、孔版印刷装置１００の状態などを操作者に報知するための表示を行うようになっているとともに、その他、操作キー８７のように、孔版印刷装置１００に対する所定の操作を行うことができるようにもなっている。
【０１１１】
操作キー８７は、製版装置７１における製版を開始させる製版開始命令信号を入力する製版スタートキー９２と、印刷枚数等の数字を入力するテンキー９３と、印刷速度を設定する印刷速度設定手段としての印刷速度設定キー９４とを含んでいる。
【０１１２】
制御部９０は、ＣＰＵ９７と、孔版印刷装置１００の動作プログラム及びこの動作プログラムの動作に必要な各種データを記憶した第１の記憶手段としてのＲＯＭ９８と、イメージスキャナ６１にて読み取った画像データなど孔版印刷装置１００の動作に必要なデータを記憶する第２の記憶手段としてのＲＡＭ９９等を備えた構成となっている。
【０１１３】
ＲＯＭ９８には、給気ファン３５への通電のタイミング、通電の強弱など、給気ファン３５を動作させるための気体供給手段動作プログラム、排気弁３６への通電のタイミングなど、排気弁３６を動作させるための気体排出手段動作プログラム、後述する給気調整弁３９への通電のタイミングなど、給気調整弁３９を動作させるための気体導入量調整手段動作プログラム等が記憶されている。
【０１１４】
気体供給手段動作プログラム、気体排出手段動作プログラム、気体導入量調整手段動作プログラムは、エアバッグ３４を膨縮させるエアバッグ防縮動作プログラムを構成している。ここに、ＲＯＭ９８はエアバッグ膨縮動作プログラム記憶手段として機能し、制御部９０はエアバッグ膨縮制御手段として機能する。
【０１１５】
なお、制御部９０は、排紙装置２３を制御するときには、排紙装置２３としての機能を果たすため排紙装置２３の一部として備えられているに等しいものであって、排紙装置２３を構成するものとする。
【０１１６】
このような孔版印刷装置１００全体の一連の印刷動作について説明する。この説明の後に、排紙台８５の動作等をさらに具体的に説明する。
【０１１７】
操作者が、イメージスキャナ６１に原稿をセットし、製版スタートキー９２を押下すること等により、製版開始命令信号が発せられると、イメージスキャナ６１で原稿の読み取りが開始されるとともに、メインモータ１１によって版胴６８が図１における時計方向に回転駆動され、この過程で図示しない使用済みのマスタが排版装置７６によって版胴６８から剥離され、廃棄される。
【０１１８】
版胴６８はさらに回転駆動され、その後クランプ装置７３が図１における略右端位置を占めたところで停止する。版胴６８が停止すると開閉装置によりクランパ４２が解放され、給版待機状態となる。
【０１１９】
一方イメージスキャナ６１で読み取った画像情報に応じて製版装置７１にてマスタ７０への製版が行われる。なお、マスタ７０の製版は、外部装置から入力された画像データに基づいて行うこともある。
【０１２０】
マスタ７０の製版は、プラテンローラ７７及びローラ対８９、７９が回転しマスタ７０を副走査方向に１ライン分搬送する度に、画像データによって構成されている画像情報に応じてサーマルヘッド７８の特定の抵抗発熱素子に電圧がパルス状に印加され、マスタ７０を構成する熱可塑性樹脂フィルムを加熱穿孔し、主走査方向へのドット形成による製版を行うことによって実行される。
【０１２１】
このようにして製版された製版済みのマスタ７０は、ローラ対７９により版胴６８に向けて送り出され、ガイド板７４に案内されて、その先端がステージ１４とクランパ４２との間に進入する。マスタ搬送駆動モータのパルス数により、マスタ７０の先端がステージ１４に届いたことが判断されると、開閉装置によりクランパ４２が閉じられて、マスタ７０の先端がクランプ装置７３によって挟持される。
【０１２２】
クランパ４２を閉じると版胴６８の回転駆動を再開する。版胴６８の回転速度はマスタ７０の搬送速度と同速である。版胴６８の回転により、製版済みのマスタ７０が版胴６８に備えられた多孔性支持円筒体の開口部を覆うようにして版胴６８の外周面に巻き付けられていく。
【０１２３】
マスタ搬送モータのパルス数により製版が終了したと判断されると、カッタ８０が作動してマスタ７０を切断し、プラテンローラ７８及びローラ対８９、７９の回転駆動が停止され、切断されたマスタ７０は版胴６８の回転に伴って版胴６８に引き出され、版胴６８への巻着が完了する。
【０１２４】
この後に印刷処理が実行される。給紙台８１の最上位の印刷用紙Ｐを給紙ローラ８２により給紙し、印刷用紙Ｐの先端が停止状態のレジストローラ対８３のニップ部に当接してその先端縁が揃えられる。
【０１２５】
版胴６８の回転に同期させてレジストローラ対８３を駆動し、印刷用紙Ｐの先端が版胴６８とプレスローラ２０とのニップ部Ｎの近傍に至ったことが用紙検出装置によって検知されたことを条件として、押圧体変位手段２２によりプレスローラ２０が上方に変位され、このプレスローラ２０で版胴６８上のマスタ７０に印刷用紙Ｐを連続的に押し付けることにより、版胴６８内のインキがマスタ７０の穿孔部分から滲み出し、版胴６８に巻着されたマスタ７０が版胴６８に密着するとともに印刷用紙Ｐに転写され、印刷が行われる。
【０１２６】
印刷後の印刷用紙Ｐは、剥離爪７５により版胴６８から剥離され、版胴６８の回転にともなって用紙搬送装置８４に案内され、用紙搬送装置８４より排紙台８５に排紙され、積載される。印刷処理は、テンキー９３で設定された印刷枚数の印刷が終了するまで繰り返される。その後、孔版印刷装置１００は、製版スタートキーの押下などの操作が所定時間行われないと、消費電力節減のため、待機モードに移行する。
【０１２７】
印刷用紙Ｐが排紙台８５に排紙されるとまずエアバッグ３４に当接するが、このときにはエアバッグ３４は給気ファン３５によって膨張した状態とされているので、印刷用紙Ｐの先端がエアバッグ３４に当接したときの音は防止ないし緩和されており、操作者にとって良好な環境が維持される。
【０１２８】
すなわち、孔版印刷装置１００は、印刷速度設定キー９４による設定にも左右されるものの、比較的高速で印刷用紙Ｐの排出を行うため、排紙台８５に当接するときに比較的大きな音が発生し得るとともに、この音が不連続且つ突発的に発生するため、操作者にとって心理的にも気になる騒音となり得るが、エアバッグ３４を配設したことで、かかる音が大幅に低減され、操作者にとって良好な環境が維持される。なお音の低減効果は、すでに述べた従来のスポンジや弾性板と比べて大きいことが確かめられた。
【０１２９】
エアバッグ３４はかかる音の緩衝を行うが、弾性が低く、低反発であるため、エアバッグ３４に当接した印刷用紙Ｐは大きく跳ね返ることはなく、間隔を印刷用紙Ｐの幅方向Ｂの大きさと略同様とされたサイドフェンス３３に幅方向の位置決めをされ揃えられつつ落下し、排紙トレイ３１上に整然と良好な状態で積載される。なお本形態において、エアバッグ３４の弾性、反発性は、すでに述べたスポンジや弾性板と比べて低いことが確かめられている。
【０１３０】
排紙台８５の基本的な構成、動作はこのようになっているが、排紙台８５は、その緩衝部材としての機能を高めること、印刷用紙Ｐの積載性を高めることなどを目的として、他に種々の特徴を備えている。以下これについて説明する。
【０１３１】
図１、図４に示すように、エアバッグ３４に関し、その緩衝面３８は、オーバーハング状となっている。エアバッグ３４は、上方が下方に比してより膨らみ、緩衝面３８は、エンドフェンス３２からの距離が、上方が下方に比して大きくなった、略平面状をなしている。このように、エアバッグ３４は、鉛直面に対してオーバーハングし、全体として反り返った状態、言い換えるとアンダーカットした形状となっている。
【０１３２】
よって、先端が緩衝面３８に当接した後の印刷用紙Ｐが落下する際に、かりに印刷用紙Ｐの先端部分がコバ面となっていても、その先端がエアバッグ３４に引っ掛かることが防止ないし抑制されており、かかる落下がスムーズに行われ、印刷用紙Ｐの落下位置が安定し、排紙台８５上の印刷用紙Ｐの揃えが良好となる。なお、図１、図４においては、かかるオーバーハングの形状を、平面状の緩衝面３８によって形成したが、緩衝面３８の形状は凹曲面等の曲面であってもよい。
【０１３３】
すでに述べたように、エアバッグ３４は弾性が低く低反発であるため、緩衝面３８に当接した印刷用紙Ｐは、緩衝面３８が鉛直面と平行であるとするとその先端が緩衝面３８に触れたまま落下しやすいが、緩衝面３８はオーバーハングしているので、緩衝面３８に当接した印刷用紙Ｐの先端は緩衝面３８から離れやすくなっている。よって従来のスポンジや弾性板に比べて弾性が低く低反発のエアバッグ３４を用いた本形態において緩衝面３８をオーバーハング状としたことの意義は大きい。
【０１３４】
なお、本形態においては、略水平に配設された排紙トレイ３１に対してエンドフェンス３２が垂設されているため、エンドフェンス３２からの緩衝面３８の距離は上方に向けて大きくなっているが、緩衝面３８は、鉛直面に対してオーバーハングしていればよいのであって、例えばエンドフェンス３２自体がオーバーハング状となっている場合にはエンドフェンス３２からの緩衝面３８の距離は均一でも良い。
【０１３５】
緩衝面３８は、平滑性を有する材料で構成されている。すなわち、エアバッグ３４の素材が、表面に平滑性のある低摩擦の材料とされている。具体的には、絹織物のように、滑らかな肌触りを有する素材が選択される。他にパラシュート布のような素材を用いても良い。緩衝面３８を、エアバッグ３４の素材と異なる、平滑性のある素材をエアバッグ３４に貼り付けることで構成してもよいが、騒音の低減性等を考慮すると、エアバッグ３４の素材そのものを、その表面が平滑性を有する材料で構成することが好ましい。また、後述の通気性にも関連して、材料は織物であることが望ましい。織物である場合には、平織り綾織などの織り方であることが望ましい。
緩衝面３８を平滑性のある材料で構成し、低摩擦としたことで、緩衝面３８をオーバーハング状としたことによる作用と同様の作用が得られる。
【０１３６】
緩衝面３８は、通気性を有する材料で構成されている。すなわち、エアバッグ３４の素材が、表面に通気性のある材料とされている。具体的には、平滑性を兼ねていることも考慮して、絹織物、パラシュート布などの織物であり編み目のある材料を選択することが望ましい。ただし、エアバッグ３４の素材そのものはビニルのように通気性を持たない素材とし、これに微小な孔を多数形成したものであっても良い。このようにエアバッグ３４の材料が、通気性を有する材料で構成される。通気性による空気の抜け量は、給気ファン３５による給気量よりも小さく、エアバッグ３４は必要なときにその膨張状態を維持される。空気の抜けを考慮して、エアバッグ３４は、緩衝面３８以外の部分の目止めを行ってもよい。
【０１３７】
緩衝面３８を通気性のある材料で構成したことで、印刷用紙Ｐの先端が当接したときに、当接部分及びその周辺の部分においてエアバッグ３４内の空気が外に抜け、緩衝機能が高まって衝撃吸収性が向上するとともに弾性が低下して低反発となり、また緩衝面３８全体から空気が抜けることで表面抵抗が低下しているので、当接の際の音が低減されるとともに印刷用紙Ｐの跳ね返り及び引っ掛かりも低減され印刷用紙Ｐの揃えが良好となる。
【０１３８】
緩衝面３８の通気性の度合い言い換えると通気度は、非均一とし、分布を持っていても良い。具体的には、図５に示すように、上下方向において、印刷用紙Ｐの先端が当接する部分ないしはこれに加えてその周辺の部分の通気度を、他の部分の通気度より大きくする。緩衝面３８の上下方向において、印刷用紙Ｐの先端が当接する部分は略一定である。よってこの部分の通気度を大きくすることで、上述の緩衝機能が向上するとともに、印刷用紙Ｐの引っ掛かりが低減される等の作用が得られる。また、他の部分における空気の抜け量が低減され、給気ファン３５の駆動に要するエネルギーすなわち電力消費が低減される。
【０１３９】
また、通気度の分布は、印刷用紙Ｐの幅方向Ｂにおいて持たせても良い。具体的には、緩衝面３８の、印刷用紙Ｐの幅方向Ｂにおける中央部の通気度を、両端部の通気度より大きくする。これにより、緩衝作用が、通気度の高いかかる中央部から始まり、徐々にかかる幅方向Ｂの全体に広がる。
【０１４０】
よって、緩衝作用を当初からかかる幅方向Ｂ全体で行う場合に比して、緩衝作用の生ずる時間が長くなり、当接の際の音がさらに低減される。また、排紙が中央揃えで行われるのであれば、緩衝作用が印刷用紙Ｐの先端の中央部から常に始まるので、種々のサイズの印刷用紙Ｐに対応できるという利点がある。また給気ファン３５の駆動に要するエネルギーが低減されるという利点も同様にある。
【０１４１】
また、通気度の分布を印刷用紙Ｐの幅方向Ｂにおいて持たせる場合、緩衝面３８の、印刷用紙Ｐの幅方向Ｂにおける両端部の通気度を、中央部の通気度より大きくしてもよい。このときは、緩衝作用が、通気度の高いかかる両端部から始まり、徐々にかかる幅方向Ｂの全体に広がる。
【０１４２】
よって、この場合も、緩衝作用を当初からかかる幅方向Ｂ全体で行う場合に比して、緩衝作用の生ずる時間が長くなり、当接の際の音がさらに低減される。また、緩衝作用が印刷用紙Ｐの先端の両端部から始まるので、緩衝作用と同時に生じ得る弾性力、反発力が印刷用紙Ｐの両端部等の２箇所において生ずるので、印刷用紙Ｐが跳ね返ったとしても、印刷用紙Ｐが斜めになりにくく、印刷用紙Ｐの揃えが良好であるという利点がある。また給気ファン３５の駆動に要するエネルギーが低減されるという利点も同様にある。
【０１４３】
通気度の分布を印刷用紙Ｐの幅方向Ｂにおいて持たせるのと同様の作用を得る構成として、緩衝面３８の、印刷用紙Ｐの幅方向Ｂおける形状を、非平面形状としてもよい。具体的には、印刷用紙Ｐの幅方向Ｂにおける中央部の通気度を、両端部の通気度より大きくする場合に対応する形状として、図６に示すように、かかる幅方向Ｂにおける中央部を凸の形状とする構成が挙げられ、印刷用紙Ｐの幅方向Ｂにおける両端部の通気度を、中央部の通気度より大きくする場合に対応する形状として、図７に示すように、かかる幅方向Ｂにおける両端部を凸の形状とする構成が挙げられる。なお、給気ファン３５の駆動に要するエネルギーを低減するという点に関しては、これらの形状とした結果、エアバッグ３４の内部の容積が減じられた場合には、同様の利点が得られる。
【０１４４】
給気ファン３５の駆動に要するエネルギーを低減するという利点を有する構成として、図８ないし図１０に示すように、エアバッグ３４を、印刷用紙Ｐの幅方向Ｂにおいて分割した構成が挙げられる。このような構成にすると、エアバッグ３４の各部分が上下方向に長い柱状をなし、それぞれが骨格となって膨張時の形状の安定性、強度が向上するという利点もある。かかるエネルギーの低減という利点に関しては、エアバッグ３４の各部分をかかる柱状による骨形状の構造体としたことで強度が向上しているため、内部圧が低くても緩衝機能が発揮されるとともに、それぞれの緩衝面３８が印刷用紙Ｐの幅方向Ｂにおいて凸形状となり、内部容積が大きく減じられていることによって、かかる利点も大きく作用する。
【０１４５】
さらに、図９に示した構成は、図６に示した構成に対応しており、図１０に示した構成は、図７に示した構成に対応しているものであって、それぞれ、図６、図７に示した構成による上述の利点も得られる。
【０１４６】
図８ないし図１０に示した構成では、エアバッグ３４の各部分に対応して給気ファン３５、排気弁３６を複数配設することが望ましい。特に、図９、図１０に示した構成では、各部分の内部容積が異なるため、複数配設した給気ファン３５、排気弁３６を独立制御することが望ましい。
【０１４７】
分割の数は、図８ないし図１０に示した例では３つであるが、２つ又は４つ以上であっても良く、また、図６、図７に対応した構成とするには、印刷用紙Ｐの幅方向Ｂの中心に対称となるように、奇数とすることが望ましい。
【０１４８】
なお、図６ないし図１０に示した構成においても、上下方向における形状は、オーバーハング状が好ましい。オーバーハング状としたことによる上述の利点が同様に得られるためである。
【０１４９】
緩衝面３８には、エアバッグ３４と印刷用紙Ｐとの当接、分離による帯電、静電気の蓄積を防止するための帯電防止加工を施すことが望ましい。かかる帯電、静電気の蓄積により、排紙トレイ３１上における印刷用紙Ｐの揃えが悪化し、最悪の場合には排紙トレイ３１上で印刷用紙Ｐのジャムが発生する可能性があるためである。帯電防止加工を施すことにより、これらの不具合が防止ないし抑制される。かかる加工は、帯電防止性を有する材料のコーティング等によって行う。
【０１５０】
ただし、かかる加工は、印刷用紙Ｐの当接等により、経時劣化し得る。そこで、緩衝面３８にかかる加工を施すことに加え、あるいはこれに換えて、緩衝面３８を、導電性を有する材料で構成することが好ましい。緩衝面３８の素材そのものを導電性を有する材料とすることで、上述の帯電、静電気の蓄積による不具合が防止ないし抑制されるという利点があるとともに、経時劣化が抑制されるため、かかる利点が経時的に維持される。
【０１５１】
緩衝面３８に導電性を持たせるためには、導電性の炭素繊維、金属繊維等の導電性繊維などの導電性の素材をエアバッグ３４の少なくとも緩衝面３８を構成する部分に導入する。導入の方法としては、エアバッグ３４を上述のような織物で構成する場合にはこれにかかる素材によって構成された繊維を織り込む方法や、導電性素材層をスパッタリングなどの方法により繊維を構成する布や糸の表面に形成する方法などが挙げられ、エアバッグ３４を上述のビニルのような素材で構成する場合にはその成形時にかかる繊維や炭素粉末、金属粉末等の導電性粉末等を混入する方法などが挙げられる。
【０１５２】
制御部９０は、給気ファン３５を、画像形成動作時すなわち印刷動作時に作動させるようになっている。給気ファン３５は、印刷用紙Ｐがエアバッグ３４に当接するときにエアバッグ３４を膨張した状態としていれば良いのであり、印刷用紙Ｐがエアバッグ３４に当接することのない非印刷動作時にはエアバッグ３４を膨張した状態とする必要はなく、非印刷動作時にも給気ファン３５を駆動することはエネルギーの無駄になるためである。
【０１５３】
また、印刷動作時は、孔版印刷装置１００の各部の駆動によって音が生じるため、給気ファン３５の駆動音がさほど際立つことはないが、非印刷動作時には給気ファン３５の駆動音が良く聞こえ耳障りとなり得ることから、非印刷動作時に給気ファン３５の駆動を停止した状態とすることは、静音化という面においても利点がある。
【０１５４】
そのため、制御部９０は、給気ファン３５の駆動開始を孔版印刷装置１００の電源投入と連動せず、印刷動作時にのみ給気ファン３５を作動させることで必要なときにのみエアバッグ３４を膨張させる。具体的には、制御部９０は、上述の印刷処理の開始と同時に給気ファン３５の駆動を開始し、上述の用紙検出装置によってテンキー９３で設定された枚数のうちの最後の印刷用紙Ｐが検知されて所定時間経過後に給気ファン３５の駆動を停止する。かかる所定時間は、印刷速度を考慮して、最後の印刷用紙Ｐが排紙トレイ３１上に積載され安定するのに十分な時間とされる。このように、制御部９０は、給気ファン３５を印刷動作時に作動させる気体供給手段駆動制御手段として機能する。
【０１５５】
給気ファン３５の駆動の開始は、その他、製版スタートキー９２の押下時、製版終了時等であっても良く、また給気ファン３５の駆動の停止は、待機モード移行時等であっても良いが、エアバッグ３４を、印刷用紙Ｐが当接する、必要なときには、膨張させた状態となるように行うとともに、給気ファン３５の駆動をできるだけ短くすることが好ましい。
【０１５６】
制御部９０は、給気ファン３５の特性値、具体的には、給気ファン３５がエアバッグ３４に供給する気体の量すなわち単位時間当たりの給気量を、画像形成の条件すなわち印刷条件に応じて変化させるようになっている。印刷用紙Ｐの厚み、サイズ、印刷速度等により、エアバッグ３４に当接するときの印刷用紙Ｐの運動エネルギーが異なるため、求められる緩衝機能すなわち衝撃吸収特性が変化するからである。
【０１５７】
そこで、制御部９０は、必要とされる緩衝機能に応じて、すなわち印刷用紙Ｐの厚み、サイズ、印刷速度等に応じて、エアバッグ３４に供給する気体の量を調整すべく、給気ファン３５の回転数を変化させ、エアバッグ３４内の空気圧を調整し、エアバッグ３４の膨らみ具合、張り具合を調整する。給気ファン３５の回転数の調整は、印加電圧、ＰＷＭ、制御デューティーの調整等によって行う。このように、制御部９０は、給気ファン３５の、エアバッグに供給する気体の量を、画像形成すなわち印刷の条件に応じて変化させる気体供給量条件制御手段として機能する。
【０１５８】
同様の目的でエアバッグ３４内の空気圧を調整し、エアバッグ３４の膨らみ具合、張り具合を調整することでエアバッグ３４の緩衝機能を調整するため、制御部９０は、排気弁３６による空気の排出量すなわち単位時間当たりの排気量を、印刷用紙Ｐの厚み、サイズ、印刷速度等の画像形成の条件すなわち印刷条件に応じて変化させるようにしても良い。排気弁３６による空気の排出量は、ＰＷＭ、制御デューティーの調整等によって行う。ここに、制御部９０は、排気弁３６による空気の排出量を印刷条件に応じて変化させる気体排出量条件制御手段として機能する。
【０１５９】
同様の目的でエアバッグ３４内の空気圧を調整し、エアバッグ３４の膨らみ具合、張り具合を調整することでエアバッグ３４の緩衝機能を調整するため、排紙台８５は、図２に示すように、給気ファン３５がエアバッグ３４に向けて供給した空気がエアバッグ３４に導入される量を調整する気体導入量調整手段としての電磁弁である給気調整弁３９を備えていても良い。
【０１６０】
給気調整弁３９は、エンドフェンス３２に形成され給気ファン３５によって形成された給気流がエアバッグ３４に向けて通過する上述の孔に配設され、通電によりかかる孔を遮蔽してエアバッグ３４への空気の導入を遮断する。給気調整弁３９への通電は、気体供給量条件制御手段としての制御部９０により行われ、この制御部９０により、給気調整弁３９によるエアバッグ３４に導入される空気の量すなわち単位時間当たりの導入量の調整が制御される。
【０１６１】
導入量は、印刷用紙Ｐの厚み、サイズ、印刷速度等の画像形成の条件すなわち印刷条件に応じて調整される。給気調整弁３９による空気の導入量は、ＰＷＭ、制御デューティーの調整等によって調整する。給気調整弁３９は、図８ないし図１０に示したように、エアバッグ３４を印刷用紙Ｐの幅方向Ｂにおいて分割した構成においては、エアバッグ３４の各部分に対応して複数配設してもよい。
【０１６２】
このような給気量の調整、排気量の調整、導入量の調整は、図８ないし図１０に示したように、エアバッグ３４を印刷用紙Ｐの幅方向Ｂにおいて分割した構成においても同様に行われる。また、このような構成において、エアバッグ３４の各部分に対応して給気ファン３５、排気弁３６、給気調整弁３９を複数配設した場合においては、それぞれの給気ファン３５、排気弁３６、給気調整弁３９の給気量、排気量、導入量を独立して調整することできる。このようにすれば、印刷用紙Ｐの厚み、サイズ、腰付けによるカールの度合い、印刷速度等に応じて、分割されたエアバッグ３４の必要な部分だけ膨らませることが可能となるためである。
【０１６３】
制御部９０は、給気ファン３５に供給する気体の量すなわち単位時間当たりの給気量を、印刷用紙Ｐがエアバッグ３４に当接して落下するときに変化させ、エアバッグ３４を脈動させるようにして膨縮させ、緩衝面３８を変位させるようになっている。これは、エアバッグ３４への当接後、印刷用紙Ｐが引っ掛かることなく落下するように、上述のように緩衝面３８に平滑性、通気性、帯電防止性、導電性を与えたのと同じ目的で行うものである。
【０１６４】
印刷用紙Ｐがエアバッグ３４に当接した後、落下中にエアバッグ３４に引っ掛かりかけても、エアバッグ３４の表皮である緩衝面３８の脈動言い換えると振動により、これを防止し、印刷用紙Ｐの落下を促進する。振動の周期は５〜６０Ｈｚが最適である。そのため、給気ファン３５による給気量をかかる周期で周期的に変化させ、エアバッグ３４内の空気圧を周期的に変動させ、エアバッグ３４の膨らみ具合、張り具合を周期的に変化させる。
【０１６５】
給気ファン３５による給気量の変化は、給気ファン３５への印加電圧、ＰＷＭ、制御デューティーの調整等により、給気ファン３５の回転数を周期的に変化させることが挙げられるが、その他、給気ファン３５を出力特性の異なる複数の給気ファンによって構成し、これらの給気ファンによる給気量の組み合わせを周期的に変化させるようにしても良い。
【０１６６】
給気ファン３５による給気量の周期的変化は、給気ファン３５の駆動時に常に行っても良いし、印刷用紙Ｐがエアバッグ３４に当接してから排紙トレイ３１上に載置されるまでのタイミングでのみ行うようにしても良い。
【０１６７】
このように、制御部９０は、給気ファン３５の、エアバッグ３４に供給する空気の量を、印刷用紙Ｐがエアバッグ３４に当接して落下するときに変化させるための気体供給量変動制御手段として機能する。
【０１６８】
同様の目的でエアバッグ３４内の空気圧を周期的に変調し、緩衝面３８を振動させることで印刷用紙Ｐの落下を促進させるため、制御部９０は、排気弁３６による空気の排出量すなわち単位時間当たりの排気量を周期的に変化させても良い。排気弁３６による空気の排出量は、ＰＷＭ、制御デューティーの調整等によって行う。ここに、制御部９０は、排気弁３６による空気の排出量を、印刷用紙Ｐがエアバッグ３４に当接して落下するときに変化させるための気体排出量変動制御手段として機能する。
【０１６９】
同様の目的でエアバッグ３４内の空気圧を周期的に調整し、緩衝面３８を振動させることで印刷用紙Ｐの落下を促進させるため、上述の給気調整弁３９を用いても良い。給気調整弁３９への通電は、気体供給量条件制御手段としての制御部９０により行われ、この制御部９０により、給気調整弁３９によるエアバッグ３４に導入される空気の量すなわち単位時間当たりの導入量の調整が制御される。給気調整弁３９による空気の導入量は、ＰＷＭ、制御デューティーの調整等によって行う。
【０１７０】
このような給気量の調整、排気量の調整、導入量の周期的調整は、図８ないし図１０に示したように、エアバッグ３４を印刷用紙Ｐの幅方向Ｂにおいて分割した構成においても同様に行われる。また、このような構成において、エアバッグ３４の各部分に対応して給気ファン３５、排気弁３６、給気調整弁３９を複数配設した場合においては、それぞれの給気ファン３５、排気弁３６、給気調整弁３９の給気量、排気量、導入量を独立して調整することできる。このようにすれば、分割されたエアバッグ３４の必要な部分だけ周期的に脈動させることが可能となるためである。
【０１７１】
以上の説明においては、排紙台８５が、気体供給手段としての給気ファン３５を有する例を示したが、気体供給手段は、装置本体６７側に備えられていても良い。この例を図１１に示す。
【０１７２】
同図に示す気体供給手段は、排紙装置２３の用紙搬送装置８４に備えられた吸着ファン５７及びダクト８６によって構成されている。吸着ファン５７は、すでに述べたように、搬送ベルト５８に印刷用紙Ｐを吸着させるためのものであるが、その排風すなわち排気をダクト８６によってエアバッグ３４に導き、エアバッグ３４を膨張させる。
【０１７３】
この構成では、装置本体６７側の他の部位すなわち用紙搬送装置８４に用いられている吸着ファン５７からの不要な排気風を利用することで、給気ファン３５などの新たな気体供給手段を用いることが不要となるという利点がある。
【０１７４】
またこの構成では、ダクト８６を要するために、給気ファン３５を用いた構成の方が小型化、軽量化の面では有利であるものの、吸着ファン５７は、排紙台８５を備えている排紙装置２３に備えられているものであるため、排紙台８５との距離も比較的近く、ダクト８６も比較的小型のもので住むため、ダクト８６を備えていることによる大型化は抑制されている。
【０１７５】
ダクト８６を取り回す構成ではあるが、新たな気体供給手段が不要であるため、コスト面でも有利である。ただし、気体供給手段が、吸着ファン５７でなく装置本体６７の他の部位に備えられているものである場合などには、ダクト８６の配設コストよりも給気ファン３５の配設コストのほうが低い可能性もある。
【０１７６】
吸着ファン５７を気体供給手段とした場合にも、給気ファン３５を気体供給手段とした場合における上述の様々な構成、制御等を適用することができる。ただし、吸着ファン５７を用いた場合には、エアバッグ３４を印刷用紙Ｐの幅方向Ｂにおいて分割した構成に対して１つの気体供給手段を備えることとなるため、分割した各部分にそれぞれ気体供給手段を配設することは困難である。よって、分割した各部分について独立した制御を行うには、排気弁３６、給気調整弁３９を用いることが有効である。
【０１７７】
給気ファン３５、吸着ファン５７等の気体供給手段は、低騒音化の観点から、駆動によって発生する音が、聴感度の低い低音域に主なスペクトルを有することが望ましい。特に、低騒音化は、給気ファン３５など、装置本体６７の外部に配設され露出している気体供給手段については重要である。
【０１７８】
図１２に示す、給気ファン３５の例で説明すると、同図（ａ）に示されている給気ファン３５のように、比較的大型のものが、同図（ｂ）に示されているような比較的小型の給気ファン３５よりも、その駆動によって発生する音が、聴感度の低い低音域に主なスペクトルを有するものとなる。同図（ａ）に示されているような比較的大型の給気ファン３５であれば、比較的低速で駆動しても十分な給気を行うことができるためである。よって、給気ファン３５、その他吸着ファン５７など、気体供給手段には、比較的大型のものを用い、比較的低速で駆動することが好ましい。
【０１７９】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【０１８０】
例えば、本発明を適用する画像形成装置は、上述の形態では孔版印刷装置としたが、他の構成の印刷装置であっても良いし、印刷装置でなく、複写機、ファクシミリ、プリンタ等、あるいはこれらの複合機等の画像形成装置であっても良い。
【０１８１】
画像形成装置を孔版印刷装置とした場合、版胴は複数備られていても良く、また例えば複数の版胴を用いてカラー印刷を行うものであっても良い。押圧体はプレスローラでなく圧胴であっても良い。
【０１８２】
同様に、画像形成装置を感光体等の潜像担持体を用いるものとした場合、潜像担持体は複数備られていても良く、また例えば複数の潜像担持体を用いてカラー印刷を行うものであっても良い。
【０１８３】
そのほか、画像形成装置は、シートを反転させる機構を備えることなどにより両面画像形成を行うものであっても良い。
画像形成に用いるシートとしては、一般にコピー等に用いられる普通紙の他、ＯＨＰシートや、カード、ハガキ等の厚紙や、封筒等の記録媒体、印刷媒体を用いることができる。
【０１８４】
本発明の実施の形態に記載された効果は、本発明から生じる最も好適な効果を列挙したに過ぎず、本発明による効果は、本発明の実施の形態に記載されたものに限定されるものではない。
【図面の簡単な説明】
【０１８５】
【図１】本発明を適用した印刷装置及びこれに備えられた排紙台の概略を示す正面図である。
【図２】図１に示した印刷装置に備えられた制御手段及びこれに関する排紙台等の各構成を示すブロック図である。
【図３】図１に示した排紙台の平面図である。
【図４】図１に示した排紙台の正面図である。
【図５】図１に示した排紙台に備えられたエアバッグが通気性を有しその通気度が不均一である様子を示した正面図である。
【図６】図１に示した排紙台に備えられたエアバッグの、シートの先端が当接する側の面が非平面形状であり、シートの幅方向における中央部が凸の形状をなしていることを示す平面図である。
【図７】図１に示した排紙台に備えられたエアバッグの、シートの先端が当接する側の面が非平面形状であり、シートの幅方向における両端部が凸の形状をなしていることを示す平面図である。
【図８】図１に示した排紙台に備えられたエアバッグが、シートの幅方向において複数に分割されていることを示す平面図である。
【図９】図１に示した排紙台に備えられたエアバッグが、シートの幅方向において複数に分割されているとともに、同エアバッグの、シートの先端が当接する側の面が非平面形状であり、シートの幅方向における中央部が凸の形状をなしていることを示す平面図である。
【図１０】図１に示した排紙台に備えられたエアバッグが、シートの幅方向において複数に分割されているとともに、同エアバッグの、シートの先端が当接する側の面が非平面形状であり、シートの幅方向における両端部が凸の形状をなしていることを示す平面図である。
【図１１】気体供給手段が画像形成装置本体側に備えれている例を示す概略正面図である。
【図１２】気体供給手段は比較的大きいほうが好ましいことを説明するための側面図である。
【符号の説明】
【０１８６】
３４    エアバッグ
３５    気体供給手段
３６    気体排出手段
３８    エアバッグの、シートの先端が当接する側の面
３９    気体導入量調整手段
５７、８６    気体供給手段
８５    排紙台
９０    気体供給手段駆動制御手段、気体供給量条件制御手段、気体排出量条件制御手段、気体供給量変動制御手段、気体排出量変動制御手段
１００    画像形成装置
Ｂ    シートの幅方向
Ｐ    シート
【図１】
2008297061.tif 000003
【図２】
2008297061.tif 000004
【図３】
2008297061.tif 000005
【図４】
2008297061.tif 000006
【図５】
2008297061.tif 000007
【図６】
2008297061.tif 000008
【図７】
2008297061.tif 000009
【図８】
2008297061.tif 000010
【図９】
2008297061.tif 000011
【図１０】
2008297061.tif 000012
【図１１】
2008297061.tif 000013
【図１２】
2008297061.tif 000014